(57)【要約】【課題】テレビに画像を出力して鑑賞することができるデジタルカメラに、テレビのリモコンをローコストに組み込み、かつリモコンによるテレビの誤操作を防止する。【解決手段】テレビ入力切替キー２４等のテレビを操作するキーと、これらのキーが操作されたときにリモコン信号を生成するリモコン信号生成部５１と、テレビのリモコン受信部に向けてリモコン信号を送信するＬＥＤ６３とを設ける。ＡＶ出力端子１０に、ＡＶケーブルが接続されているか否かを検出するケーブル検出スイッチ６０を設ける。リモコン信号生成部５１は、ＡＶ出力端子１０にＡＶケーブルが接続されているときにのみ動作状態となり、リモコン信号を生成するように制御される。【選択図】図３
2007324975.tif 000002
【特許請求の範囲】
【請求項１】
接続ケーブルを介してテレビの入力端子に接続され、画像信号、または画像信号及び音声信号を、前記接続ケーブルを介してテレビに出力する出力端子と、
前記出力端子に前記接続ケーブルが接続されたことを検出するケーブル検出手段と、
前記テレビを操作するテレビ用リモコン手段とを備え、
前記テレビ用リモコン手段は、前記ケーブル検出手段によって接続ケーブルが検出されたときに前記テレビを操作できる動作状態となり、接続ケーブルが検出されないときには前記テレビを操作できない非動作状態となることを特徴とするデジタルカメラ。
【請求項２】
前記テレビ用リモコン手段は、
前記テレビを操作するテレビ操作手段と、
このテレビ操作手段の操作に応じてリモコン信号を生成するリモコン信号生成手段と、
前記リモコン信号をテレビのリモコン受信部に送信する送信手段とを備え、
前記リモコン信号生成手段は、前記ケーブル検出手段によって接続ケーブルが検出されたときに前記テレビ操作手段の操作に応じて前記リモコン信号を生成し、前記接続ケーブルが検出されないときには前記リモコン信号を生成しないことを特徴とする請求項１記載のデジタルカメラ。
【請求項３】
前記テレビ操作手段は、撮影操作または各種設定操作等に使用されるカメラ操作手段の少なくとも一部によって兼用されており、前記リモコン信号生成手段は、前記ケーブル検出手段によって接続ケーブルが検出され、かつ前記テレビ操作手段と兼用されているカメラ操作手段が操作されたときに前記リモコン信号を生成し、前記接続ケーブルの接続が検出されないときには前記リモコン信号を生成しないことを特徴とする請求項２記載のデジタルカメラ。
【請求項４】
前記カメラ操作手段の入力操作を判定し、その操作内容に応じて操作信号を生成するキー入力判定手段を設け、このキー入力判定手段は、前記ケーブル検出手段によって接続ケーブルが検出されたときに、前記カメラ操作手段の入力操作に応じてテレビ操作用の操作信号を生成して前記リモコン信号生成手段に入力し、前記接続ケーブルが検出されないときには、カメラ操作手段の本来の機能に応じた操作信号を生成することを特徴とする請求項３記載のデジタルカメラ。
【請求項５】
前記テレビのメーカーまたは製品種等のタイプに応じて、前記リモコン信号生成手段のリモコン信号を設定する信号設定手段を設けたことを特徴とする請求項２ないし３いずれか記載のデジタルカメラ。
【請求項６】
前記出力端子に、画像信号、または画像信号及び音声信号を出力する信号出力処理手段と、この信号出力手段から入力される画像信号、または画像信号及び音声信号を再生する再生手段とを備え、前記信号出力処理手段は、前記ケーブル検出手段により接続ケーブルが検出されないときには、画像信号、または画像信号及び音声信号を前記再生手段に入力し、前記ケーブル検出手段により接続ケーブルが検出されたときには、画像信号、または画像信号及び音声信号を出力端子から出力させることを特徴とする請求項１ないし５いずれか記載のデジタルカメラ。
【請求項７】
前記再生手段は、前記信号出力処理手段から入力される画像信号に基づいて撮影済みの画像や各種設定メニューを表示する画像表示手段を含み、前記信号出力処理手段は、前記ケーブル検出手段により接続ケーブルが検出されたときに、前記画像表示手段にテレビ操作手段の操作方法を表す画像を表示させることを特徴とする請求項６記載のデジタルカメラ。
【請求項８】
撮影を行う撮影モードと、撮影した画像、または画像及び音声を再生する再生モードとの間で動作モードを切り換えるモード切換え手段を備え、前記テレビ用リモコン手段は、動作モードが前記再生モードにセットされ、かつ前記ケーブル検出手段によって接続ケーブルが検出されているときに前記動作状態となることを特徴とする請求項１ないし７いずれか記載のデジタルカメラ。
【発明の詳細な説明】
【技術分野】
【０００１】
本発明は、デジタルカメラに関し、更に詳しくは、静止画や動画をテレビに出力することができるデジタルカメラに関する。
【背景技術】
【０００２】
ＣＣＤやＣＭＯＳ等のイメージセンサによって画像を撮影し、デジタルデータに変換して記憶するデジタルカメラが普及している。また、近年のデジタルカメラは、メモリの高集積化による記憶容量の増加、動画圧縮技術の向上等により、動画撮影機能を備えるものが増えている。
【０００３】
多くのデジタルカメラは、撮影時にビューファインダとして機能する液晶モニタを有しており、この液晶モニタに撮影済みの画像を再生表示して観察することができる。また、撮影した画像を大きな画面で見るために、画像信号と音声信号とを出力するＡＶ出力端子を備えたデジタルカメラがある。このデジタルカメラで撮影した静止画や動画をテレビで鑑賞する際には、デジタルカメラのＡＶ出力端子とテレビの入力端子とを接続ケーブルで接続し、デジタルカメラを再生モードにセットし、テレビをリモコンで操作して外部入力モードに切り替える。次いで、デジタルカメラで表示画像の切替え操作を行い、動画の場合にはテレビで音量の調整を行う。
【０００４】
上記のように、デジタルカメラで撮影した画像をテレビで鑑賞する際には、デジタルカメラとテレビのリモコンとを操作しなければならず、非常に煩雑であり、操作性が悪いという問題がある。これを解決するために、デジタルカメラにテレビのリモコンを組み込み、デジタルカメラとテレビとの操作の一元化を図ることが考えられる。デジタルカメラにリモコンを組み込む例として、特許文献１記載のデジタルカメラがある。このデジタルカメラでは、カメラ本体のカバー部分にリモコンを組み込み、これをカメラ本体から着脱自在にしている。
【特許文献１】特開２００３−２４８２６５号公報
【発明の開示】
【発明が解決しようとする課題】
【０００５】
特許文献１記載のデジタルカメラは、撮影時に多用されるデジタルカメラ自体のリモコンをカバー部分に組み込んでいる。しかし、画像再生をテレビで行うときにしか使用しないテレビのリモコンをデジタルカメラのカバー部に着脱自在に組み込むのは、デジタルカメラの大型化、及びコストアップを招くため採用し得ない。また、デジタルカメラの本体部にテレビのリモコンを組み込むことも考えられるが、誤操作によってテレビが操作される可能性がある。
【０００６】
本発明は、上記課題を解決するためになされたもので、デジタルカメラにテレビのリモコンをローコストに組み込むとともに、このリモコンによってテレビが誤操作されるのを防止することを目的とする。
【課題を解決するための手段】
【０００７】
上記課題を解決するために、本発明のデジタルカメラは、接続ケーブルを介してテレビの入力端子に接続され、画像信号、または画像信号及び音声信号を出力する出力端子を備えるデジタルカメラに対し、出力端子に接続ケーブルが接続されたことを検出するケーブル検出手段と、前記テレビを操作するテレビ用リモコン手段とを備え、このテレビ用リモコン手段は、ケーブル検出手段によって接続ケーブルが検出されたときにテレビを操作できる動作状態となり、接続ケーブルが検出されないときにはテレビを操作できない非動作状態となるようにしたものである。
【０００８】
テレビ用リモコン手段としては、テレビを操作するテレビ操作手段と、このテレビ操作手段の操作に応じてリモコン信号を生成するリモコン信号生成手段と、リモコン信号をテレビのリモコン受信部に送信する送信手段とから構成している。リモコン信号生成手段は、ケーブル検出手段によって接続ケーブルが検出されたときにテレビ操作手段の操作に応じてリモコン信号を生成し、接続ケーブルが検出されないときにはリモコン信号を生成する。
【０００９】
また、テレビ操作手段は、撮影操作または各種設定操作等に使用されるカメラ操作手段の少なくとも一部によって兼用してもよい。この場合、リモコン信号生成手段は、ケーブル検出手段によって接続ケーブルが検出され、かつテレビ操作手段と兼用されているカメラ操作手段が操作されたときにリモコン信号を生成し、接続ケーブルの接続が検出されないときにはリモコン信号を生成しない。
【００１０】
更に、カメラ操作手段の入力操作を判定し、その操作内容に応じて操作信号を生成するキー入力判定手段を設け、このキー入力判定手段は、ケーブル検出手段によって接続ケーブルが検出されたときには、カメラ操作手段の入力操作に応じてテレビ操作用の操作信号を生成し、接続ケーブルが検出されないときには、カメラ操作手段の本来の機能に応じた操作信号を生成するようにしたものである。
【００１１】
更に、テレビのメーカーまたは製品種に応じて、リモコン信号生成手段のリモコン信号を設定する信号設定手段を設けるとよい。
【００１２】
また、出力端子に、画像信号、または画像信号及び音声信号を出力する信号出力処理手段は、ケーブル検出手段により接続ケーブルが検出されないときには、画像信号、または画像信号及び音声信号を再生手段に入力し、ケーブル検出手段により接続ケーブルが検出されたときには、画像信号、または画像信号及び音声信号を出力端子から出力させるようにしたものである。
【００１３】
更に、再生手段として、信号出力処理手段から入力される画像信号に基づいて撮影済みの画像や各種設定メニューを表示する画像表示手段を備えている場合には、ケーブル検出手段により接続ケーブルが検出されたときに、画像表示手段にテレビ操作手段の操作方法を表す画像を表示させるようにしたものである。
【００１４】
また、撮影を行う撮影モードと、撮影した画像、または画像及び音声を再生する再生モードとの間で動作モードを切り換えるモード切換え手段を備えているデジタルカメラは多い。そこで、テレビ用リモコン手段は、動作モードが再生モードにセットされ、かつケーブル検出手段によって接続ケーブルが検出されているときに動作状態となるようにしたものである。
【発明の効果】
【００１５】
本発明のデジタルカメラによれば、デジタルカメラをテレビに接続して画像を鑑賞する際に、テレビの入力切替えや音量調節等をデジタルカメラでリモコン操作することができるので、デジタルカメラとテレビとを別々に操作する場合に比べ、操作性を格段に向上させることができる。また、テレビ用リモコン手段は、接続ケーブルが出力端子に接続されたとき、若しくは再生モードにセットされ、かつ接続ケーブルが検出されたときにしか動作状態にならないので、テレビの近くでデジタルカメラを操作しても、誤ってテレビが操作されることはない。
【００１６】
また、テレビ操作手段とカメラ操作手段とを兼用させ、接続ケーブルの接続が検出されたときにカメラ操作手段の一部をテレビ操作手段に切り替えるようにしたので、デジタルカメラにテレビ操作手段を別に設けることによる大型化、及びコストアップは発生しない。
【００１７】
さらに、カメラ操作手段の一部がテレビ操作手段に切り替えられたときに、画像表示手段にテレビ操作手段の操作方法を表示するようにしたので、操作手段の機能が切り替わることによるユーザの操作ミスを防止することができる。また、デジタルカメラの表面に、テレビ操作手段として使用する場合の機能と、カメラ操作手段として使用する場合の機能を併記する必要がないため、カメラのデザイン性を損なうこともない。
【００１８】
また、接続検出手段によって接続ケーブルの接続が検出されたときにのみ、信号出力処理手段から画像信号、または画像信号及び音声信号を出力端子に出力させ、接続ケーブルが検出されないときには内蔵の再生手段に出力するようにしたので、デジタルカメラで画像を再生する際に、ユーザーが出力先の切替え操作を行う必要がない。
【００１９】
さらに、テレビのメーカーや製品種に応じてリモコン信号を設定できるので、リモコン機能を有するテレビならば、メーカーや製品種を選ばず対応することができる。
【発明を実施するための最良の形態】
【００２０】
図１は、本発明を実施したデジタルカメラの背面図である。図２に示すように、このデジタルカメラ２は、接続ケーブルであるＡＶケーブル３によってテレビ４に接続し、画像信号及び音声信号をテレビ４に出力して、画面５で再生表示を行う外部出力機能を備えている。また、テレビ４で画像を再生する際に、テレビ４をリモコン操作するテレビ用リモコン機能を備えている。
【００２１】
デジタルカメラ２の上面２ａには、シャッタレリーズ操作に使用されるシャッタボタン８が設けられている。また、背面２ｃには、撮影時にイメージセンサから出力されるスルー画像や、撮影済みの静止画及び動画、各種設定画面等が表示されるＬＣＤ９と、デジタルカメラ２の操作に使用される各種操作部とが設けられている。側面２ｂには、画像信号及び音声信号をテレビ４等の外部機器に出力するＡＶ出力端子１０と、このＡＶ出力端子１０によって接続されたテレビ４にリモコン信号を送信する赤外線出力部１１等が設けられている。
【００２２】
背面２ｃにおいて、ＬＣＤ９の上方及び右方に配置されているのは、デジタルカメラ２の操作に使用されるカメラ操作手段である。モード切替え手段である電源操作部１４は、左右方向でスライド自在とされた操作部材からなり、左端にスライドされたときにデジタルカメラ２の電源がオフされ、中間位置にスライドされたときに電源がオンし、かつ撮影モードにセットされる。また、右端にスライドされると、撮影済みの画像を鑑賞する再生モードにセットされる。
【００２３】
ズームキー１７は、撮影レンズの焦点距離を望遠側に切り換えるテレキー１７ａと、広角側に切り換えるワイドキー１７ｂとからなる。ズームキー１７の下方に配置されている方向キー１８は、上下左右に配された４個の操作キー１８ａ〜１８ｄからなり、ＬＣＤ９に表示された設定画面において、多数のメニューの中から特定のメニューを選択する際等に使用される。方向キー１８の下方に配置されている決定キー１９は、設定画面において方向キー１８で選択されたメニューを決定する際等に使用される。
【００２４】
ＬＣＤ９の下方に配置されているのは、デジタルカメラ２が接続されたテレビ４のリモコン操作に用いられるテレビ操作キーであり、これらのテレビ操作キーの操作に対応したリモコン信号が赤外線出力部１１からテレビ４のリモコン受信部２２に向けて送信される。左端に配置されているテレビ入力切替えキー２４は、テレビ４の入力モードを切り換える際に使用される。その側方に配置されているテレビ音量アップキー２５及びテレビ音量ダウンキー２６は、テレビの音量を変更する際に操作される。
【００２５】
図３は、デジタルカメラ２の構成を示すブロック図である。デジタルカメラ２の前面には、周知のように撮影レンズ３０が配置されている。この撮影レンズ３０は、モータ、モータドライバ、駆動機構等を含むレンズ駆動部３１によって光軸方向に移動される。撮影レンズ３０の光軸方向の背後には、撮影光路を開閉するメカニカルシャッタ３２が配置されている。
【００２６】
メカニカルシャッタ３２の光軸方向の背後には、イメージセンサとして、ＣＣＤ撮像素子３５が配置されている。このＣＣＤ撮像素子３５は、撮影レンズ３０を透過して受光面上に結像された被写体光を電気的な撮像信号に変換し、駆動回路３６から供給される転送パルスに基づいてＣＤＳ回路３７に出力する。なお、イメージセンサには、ＣＣＤ撮像素子に代えてＣＭＯＳタイプの撮像素子を用いてもよい。
【００２７】
ＣＤＳ（相関二重サンプリング）回路３７は、駆動回路３６から出力された駆動パルスに基づいて駆動され、ＣＣＤ撮像素子３５から出力された撮像信号のノイズを低減してＡ／Ｄ変換回路４０に入力する。Ａ／Ｄ変換回路４０は、入力されたアナログの撮像信号をデジタルの画像データに変換し、中央制御回路４１に設けられた画像処理部（図示せず）に入力する。画像処理部は、入力された画像データに各種画像処理を施して圧縮伸長部（図示せず）に入力する。圧縮伸長部は、入力された画像データを圧縮してＪＰＥＧ等の画像ファイルに変換し、メモリカード等の記憶メディア４２に記憶させる。
【００２８】
また、デジタルカメラ２の前面には、動画撮影時に音声を入力するマイク４５が設けられている。マイク４５は、入力された音声に基づいてアナログの音声信号を出力し、Ａ／Ｄ変換回路４６に入力する。Ａ／Ｄ変換回路４６は、アナログの音声信号をデジタルの音声データに変換し、中央制御回路４１の音声処理部（図示せず）に入力する。音声処理部は、入力された音声データに各種処理を施して、圧縮伸長部（図示せず）に入力する。圧縮伸長部は、画像処理部から入力された動画データと音声データとを圧縮し、かつＭＰＥＧ等の動画ファイルに変換して記憶メディア４２に記憶させる。
【００２９】
中央制御回路４１は、デジタルカメラ２の各部を制御する回路であり、例えば、ＣＰＵと、各種動作プログラムや設定データ等を記憶したＲＯＭ等からなるマイクロコンピュータである。この中央制御回路４１は、前述した画像処理部、音声処理部、圧縮伸長部等とともに、キー入力判定部４９、信号出力処理部５０、リモコン信号生成部５１、信号設定部５２等を備えている。
【００３０】
キー入力判定部４９には、デジタルカメラ２に設けられた多数のキー及び操作部の入力信号が入力される。そして、入力信号を判定して対応する操作信号を発生し、対応する機能部に入力する。
【００３１】
信号出力処理部５０は、デジタルカメラ２が再生モードにセットされたときに、記憶メディア４２から画像ファイルや動画ファイルを読み出し、アナログの画像信号及び音声信号に変換して出力する。この画像信号及び音声信号は、ＬＣＤドライバ５５及びアンプ５６、またはＡＶ出力端子１０に出力される。ＬＣＤドライバ５５及びアンプ５６に入力された画像信号及び音声信号は、内蔵された再生手段であるＬＣＤ９及びスピーカー５７によって再生される。
【００３２】
ＡＶ出力端子１０には、ＡＶケーブル３の接続の有無を検出するケーブル検出スイッチ６０が設けられており、その検出信号は、信号出力処理部５０とリモコン信号生成部５１とに入力される。図４のフローチャートに示すように、信号出力処理部５０は、再生モード時にケーブル検出スイッチ６０がオフであるとき、すなわちＡＶ出力端子１０にＡＶケーブル３のコネクタ３ａが接続されていないときには、ＬＣＤ９及びスピーカー５７に画像信号及び音声信号を出力する。また、再生モード時にケーブル検出スイッチ６０がオンであるとき、すなわちＡＶ出力端子１０にＡＶケーブル３のコネクタ３ａが接続されているときには、ＡＶ出力端子１０に画像信号または音声信号を出力する。ケーブル検出スイッチ６０としては、例えば、ＡＶケーブル３の接続を機械的に検出するマイクロスイッチ等を用いてもよいし、ＡＶケーブルの接続を電気的に検出してもよい。
【００３３】
リモコン信号生成部５１は、テレビ入力切替キー２４、テレビ音量アップキー２５、テレビ音量ダウンキー２６が操作され、キー入力判定部４９から操作信号が入力されたときに、その操作されたキーの操作内容に基づいてリモコン信号を生成する。生成されたリモコン信号は、赤外線出力部１１内に組み込まれているＬＥＤ６３と、ＬＥＤドライバ６４とからなる送信手段によって、テレビ４のリモコン受信部２２に送信される。
【００３４】
このリモコン信号生成部５１は、ケーブル検出スイッチ６０がオンされたときに動作状態となり、オフのときには非動作状態となる。図５のフローチャートに示すように、動作状態のときのリモコン信号生成部５１は、テレビ入力切替キー２４等のテレビ操作キーの操作に応じてリモコン信号を生成するが、非動作状態のときにはリモコン信号を生成しない。これにより、デジタルカメラ２の画像をテレビ４で再生するときだけ、リモコン機能が動作するので、テレビ４の近くでテレビ入力切替キー２４等を誤って操作しても、テレビ４の入力が切り替えられることはない。
【００３５】
信号設定部５２は、リモコン信号生成部５１によって生成されるリモコン信号の波長をテレビ４のメーカー及びタイプに合せて設定する。デジタルカメラ２が設定モードにセットされ、この設定モードの中のリモコン設定メニューが選択されると、ＬＣＤ９には、図６に示すリモコン設定画面６７が表示される。リモコン設定画面６７は、メーカー設定部６８とタイプ設定部６９と、操作説明部７０とを備えており、ユーザーは、操作説明部７０を参照して方向キー１８を操作し、テレビ４のメーカーとタイプとを選択して決定キー１９を操作する。信号設定部５２は、例えば、設定されたテレビのメーカー及びタイプに対応する波長を図示しないＲＯＭから読み出し、これをリモコン信号生成部５１に入力して波長を設定する。
【００３６】
次に、上記実施形態の作用について説明する。図２に示すように、デジタルカメラ２で撮影した画像をテレビで鑑賞する際には、ＡＶ出力端子１０とテレビ４の入力端子７３とをＡＶケーブル３で接続する。次いで、電源操作部１４を操作してデジタルカメラ２の動作モードを再生モードにセットする。これにより、リモコン信号生成部５１が動作状態となるので、ユーザーはテレビ入力切替キー２４を操作して、テレビ４の入力系統を切り替える。リモコン信号生成部５１は、入力操作に応じてリモコン信号を生成し、赤外線出力部１１からテレビ４のリモコン受信部２２に向けて送信する。テレビ４は、受信したリモコン信号にしたがって入力系統を切り替える。なお、テレビ４のメーカー及びタイプが、デジタルカメラ２で設定されているものと異なっている場合には、上述したようにリモコン設定でテレビ４のメーカーとタイプとを設定する必要がある。
【００３７】
信号出力処理部５０は、記憶メディア４２から画像ファイルや動画ファイルを読み出し、アナログの画像信号に変換してＡＶ出力端子１０に出力する。画像信号が入力されたテレビ４は、画面５にサムネイル画像を表示する。ユーザーは、方向キー１８や決定キー１９を操作して鑑賞する画像を選択し、信号出力処理部５０は、選択された画像を記憶メディア４２から読み出して画像信号に変換し、テレビ４に送信する。選択された画像が動画である場合には、画像信号とともに音声信号もテレビ４に入力され、スピーカー７６から再生される。なお、動画再生時の再生音声が聞きにくい場合には、デジタルカメラ２のテレビ音量アップキー２５またはテレビ音量ダウンキー２６を操作して、テレビ４の音量を調整することができる。
【００３８】
これにより、テレビ４でデジタルカメラ２の画像を鑑賞する際に、テレビ４の入力切り替えや音量調整をデジタルカメラ２でリモコン操作することができるので、簡単に画像の鑑賞を行うことができ、作業の煩雑さを解消することができる。また、リモコン機能は、デジタルカメラ２が再生モードにセットされ、かつＡＶケーブル３がＡＶ出力端子１０に接続されたときに動作状態となるため、撮影時にテレビ４の近くでテレビ入力切替キー２４等を誤って操作しても、テレビ４が操作されることはない。
【００３９】
なお、上記実施形態では、デジタルカメラ２にテレビ４を操作するための専用のキーを設けたが、撮影や各種設定操作等に使用されるキーをテレビ操作用のキーとして兼用してもよい。以下、カメラ操作用のキーとテレビ操作用のキーとを兼用させた実施形態について説明するが、上記実施形態と同じ部品については、同符号を用いて詳しい説明は省略する。
【００４０】
図７に示すデジタルカメラ８０は、図１に示すデジタルカメラ２からテレビ入力切替キー２４，テレビ音量アップキー２５，テレビ音量ダウンキー２６を省略したものと同等の機能、構成を備えている。このデジタルカメラ８０では、上方向キー８１がテレビ入力切替キーと兼用され、ズームキーであるテレキー８２ａ及びワイドキー８２ｂが、テレビ音量ダウンキー及びテレビ音量アップキーと兼用され、これらが兼用操作キーとされている。
【００４１】
図８のブロック図に示すように、ケーブル検出スイッチ６０の検出信号は、キー入力判定部８５にも入力されている。このキー入力判定部８５は、前記実施形態のキー入力判定部４９と同様に、各キー及び操作部の入力操作に応じて操作信号を生成するが、ケーブル検出スイッチ６０がオンしたときに、標準モードからリモコンモードに移行する。このリモコンモードでは、ＡＶ出力端子１０にＡＶケーブル３が接続されたときには、上方向キー８１の操作に応じてテレビ入力切替キーの操作に相当する操作信号を生成し、リモコン信号生成部５１に入力する。また、テレキー８２ａ及びワイドキー８２ｂが操作されたときには、テレビ音量ダウンキー及びテレビ音量アップキーの操作に相当する操作信号を生成し、リモコン信号生成部５１に入力する。なお、図８では、図面の煩雑化を防ぐため、上方向キー８１以外の方向キーを省略している。
【００４２】
リモコン操作の手順を表す図９のフローチャートに示すように、デジタルカメラ８０の電源操作部１４が操作されて再生モードにセットされ、かつＡＶ出力端子１０にＡＶケーブル３のコネクタ３ａが接続されてケーブル検出スイッチ６０がオンすると、リモコン信号生成部５１は動作状態となり、キー入力判定部８５はリモコンモードに移行する。この状態で兼用操作キーが操作されると、キー入力判定部８５は、キー操作に応じてテレビ操作用の操作信号を生成し、リモコン信号生成部５１に入力する。リモコン信号生成部５１は、入力された操作信号に基づいてリモコン信号を生成し、赤外線出力部１１からテレビ４に向けて送信する。
【００４３】
また、デジタルカメラ８０が再生モードにセットされていないとき、あるいは再生モードであってもＡＶ出力端子１０にＡＶケーブル３が接続されていないときには、キー入力判定部８５は標準モードとなる。キー入力判定部８５は、兼用操作キーが操作されてもこれらのキーが本来有している機能、すなわち標準機能に応じた操作信号を出力する。これにより、デジタルカメラ８０からテレビ操作専用のキーを省略することができるので、コストダウンが可能となる。また、キーの省略によるデザイン性の向上も図ることができる。更に、兼用操作キーは、デジタルカメラ８０が再生モードにセットされ、かつＡＶケーブル３が接続されたときにのみ、テレビ操作用のキーとして有効になるので、テレビ４が誤操作されることもない。
【００４４】
なお、上方向キー８１と、テレキー８２ａ及びワイドキー８２ｂとが兼用操作キーであることがユーザーに分かるようにするために、各キーの近傍に２つの機能名を併記することが考えられる。しかし、このような機能表示は、印字が小さいため識別しにくく、デジタルカメラ８０のデザイン性を損ねる場合がある。そこで、本実施形態では、デジタルカメラ８０がリモコンモードに移行したときに、ＬＣＤ９に各兼用操作キーの操作方法を表示するようにした。
【００４５】
図１０のフローチャートに示すように、デジタルカメラ８０が再生モードにセットされ、かつＡＶケーブル３がＡＶ出力端子１０に接続されたときに、信号出力処理部５１はＲＯＭ等に予め記憶されているリモコンモード操作説明画面を読み出し、図１１に示すように、ＬＣＤ９にリモコンモード操作説明画面９０を表示する。このリモコンモード操作説明画面９０は、例えば、現在の動作モードがリモコンモードであること、各兼用操作キーの名称とリモコンモード時の機能との対応、リモコンモードから復帰するための手順等が表示されており、ユーザーが容易にデジタルカメラ８０及びテレビ４を操作することができる。これによれば、兼用操作キーの近傍にテレビ操作時の機能名を併記する必要がなくなるので、デジタルカメラ８０のデザイン性を損なうことはない。
【００４６】
なお、上記実施形態では、再生モード時にのみリモコン機能を動作させるようにしたが、撮影モード時にもリモコン機能を動作させてもよい。これによれば、テレビの画面にスルー画像を表示しながら撮影を行う際に、テレビをリモコン操作することができる。
【００４７】
更に、カメラ操作キーでリモコン操作手段を兼用する際に、ＬＣＤに操作説明を表示するようにしたが、専用のリモコン操作キーを備えている場合にも、操作説明をＬＣＤに表示してもよい。テレビでの画像再生は、あまり頻度の高い操作ではないため、ユーザーは説明書を見ながら操作を行うことが考えられる。しかし、ＬＣＤに操作説明を表示すれば説明書の参照を省くことができ、操作性が向上する。
【００４８】
また、上記実施形態では、赤外線を用いたリモコンを例に説明したが、電波を利用したリモコンを用いてもよい。更に、ＡＶケーブルを介してテレビに操作信号を入力して操作するようにすることも、本発明に含まれる。また、上記実施形態は、デジタルスチルカメラを例に説明したが、外部出力機能を有するビデオカメラ、デジタルビデオカメラ等にも適用することが可能である。
【図面の簡単な説明】
【００４９】
【図１】本発明を実施したデジタルカメラの背面図である。
【図２】デジタルカメラとテレビとの接続状態を示す説明図である。
【図３】デジタルカメラの構成を示すブロック図である。
【図４】信号出力の処理手順を示すフローチャートである。
【図５】リモコン操作の処理手順を示すフローチャートである。
【図６】リモコン設定画面を表す説明図である。
【図７】本発明の別の実施形態を用いたデジタルカメラの背面図である。
【図８】別の実施形態のデジタルカメラの構成を示すブロック図である。
【図９】別の実施形態のリモコン操作の処理手順を示すフローチャートである。
【図１０】別の実施形態の信号出力の処理手順を示すフローチャートである。
【図１１】リモコンモード操作説明画面を表す説明図である。
【符号の説明】
【００５０】
２，８０  デジタルカメラ
３  ＡＶケーブル
４  テレビ
９  ＬＣＤ
１０  ＡＶ出力端子
１１  赤外線出力部
２２  リモコン受信部
２４  テレビ入力切替キー
２５  テレビ音量アップキー
２６  テレビ音量ダウンキー
４１  中央制御回路
４５  マイク
４９，８５  キー入力判定部
５０  信号出力処理部
５１  リモコン信号生成部
５２  信号設定部
５７  スピーカー
６０  ケーブル検出スイッチ
６３  ＬＥＤ
６７  リモコン設定画面
８１  上方向キー
８２ａ  テレキー
８２ｂ  ワイドキー
９０  リモコンモード操作説明画面
【図１】
2007324975.tif 000003
【図２】
2007324975.tif 000004
【図３】
2007324975.tif 000005
【図４】
2007324975.tif 000006
【図５】
2007324975.tif 000007
【図６】
2007324975.tif 000008
【図７】
2007324975.tif 000009
【図８】
2007324975.tif 000010
【図９】
2007324975.tif 000011
【図１０】
2007324975.tif 000012
【図１１】
2007324975.tif 000013